【手続補正書】
【提出日】平成17年4月12日(2005.4.12)
【手続補正１】
【補正対象書類名】明細書
【補正対象項目名】発明の名称
【補正方法】変更
【補正の内容】
【発明の名称】電気光学装置及び電子機器
【手続補正２】
【補正対象書類名】明細書
【補正対象項目名】特許請求の範囲
【補正方法】変更
【補正の内容】
【特許請求の範囲】
【請求項１】
複数の走査線と、
複数の信号線と、
前記複数の走査線と前記複数の信号線との交差部に対応して配設された複数の電気光学素子と、
前記複数の電気光学素子の少なくとも１つの輝度を検出する輝度検出部と、
前記輝度検出部で得られた輝度検出結果をデジタル信号に変換するアナログ−デジタル変換回路と、
前記アナログ-デジタル変換回路から出力された前記デジタル信号が入力される比較器と、を備え、
前記比較器は、輝度テーブルを参照して前記輝度検出部で検出された前記輝度が所定の輝度となっているか否かの比較を行うこと、
を特徴とする電気光学装置。
【請求項２】
請求項１に記載の電気光学装置において、さらに前記比較器における比較結果が入力されるセレクタと、
前記セレクタの出力によって、基準電圧が設定されるデジタル-アナログ変換器と、を備えていること、
を特徴とする電気光学装置。
【請求項３】
請求項１に記載の電気光学装置において、さらに前記比較器における比較結果が入力されるセレクタと、
前記セレクタの出力によって、前記複数の電気光学素子に供給するための駆動電圧を設定する電源回路と、を備えていること、
を特徴とする電気光学装置。
【請求項４】
請求項１に記載の電気光学装置において、さらに前記比較器における比較結果が入力されるセレクタと、
前記セレクタの出力に基づいて、データを補正するデータ補正回路と、を備えていること、
を特徴とする電気光学装置。
【請求項５】
請求項２または３に記載の電気光学装置において、
前記セレクタは、電圧テーブルを参照すること、
を特徴とする電気光学装置。
【請求項６】
請求項４に記載の電気光学装置において、
前記セレクタは、データテーブルを参照すること、
を特徴とする電気光学装置。
【請求項７】
請求項４または６に記載の電気光学装置において、
前記データ補正回路によって補正されたデータが入力されるデジタル-アナログ変換器をさらに備え、
前記デジタル-アナログ変化器は、前記補正されたデータをアナログデータに変換すること、
を特徴とする電気光学装置。
【請求項８】
請求項７に記載の電気光学装置において、
前記アナログデータは前記電気光学素子に輝度を決定すること、
を特徴とする電気光学装置。
【請求項９】
請求項１乃至８のいずれかに記載の電気光学装置が実装されてなる電子機器。
【請求項１０】
電気光学装置を備えた電子機器であって、
前記電気光学装置は、パネル部と、輝度センサと、を備え、
前記電子機器は、前記パネル部を含む第１の部分と、前記輝度センサを含む第２の部分と、から構成され、
前記第１の部分と前記第２の部分とがヒンジ部で接続され、前記ヒンジ部を利用することにより、前記電子機器は折り畳み可能となっていること、
を特徴とする電子機器。
【請求項１１】
請求項１０に記載の電子機器において、
前記電子機器は、前記輝度センサは、折り畳まれた際に前記パネルと対向する位置となるように設けられていること、
を特徴とする電子機器。
【請求項１２】
請求項１０または１１に記載の電子機器において、
前記輝度センサはカメラであること、
を特徴とする電子機器。
【請求項１３】
請求項１０乃至１２のいずれかに記載の電子機器において、
前記電子機器は、折り畳まれた際に外光が、前記輝度センサに入射しない構造となっていること、
を特徴とする電子機器。
【請求項１４】
請求項１０乃至１３のいずれかに記載の電子機器において、
前記電子機器が折り畳まれたか否かを判別する検出センサを備えていること、
を特徴とする電子機器。
【請求項１５】
請求項１４に記載の電子機器において、
前記検出センサは、前記第１の部分及び前記第２の部分のうち一方に設けられた突起部と、前記第１の部分及び前記第２の部分のうち他方に設けられた板バネと、からなること、
を特徴とする電子機器。
【請求項１６】
請求項１５に記載の電子機器において、
前記パネル部は有機EL素子で構成されていること、
を特徴とする電子機器。
【手続補正３】
【補正対象書類名】明細書
【補正対象項目名】００１０
【補正方法】変更
【補正の内容】
【００１０】
本発明の第４の電気光学装置は、複数の走査線と、複数の信号線と、前記複数の走査線と前記複数の信号線との交差部に対応して配設された複数の電気光学素子と、
前記複数の電気光学素子の少なくとも１つの輝度を検出する輝度検出部と、前記輝度検出部で得られた輝度検出結果をデジタル信号に変換するアナログ−デジタル変換回路と、前記アナログ-デジタル変換回路から出力された前記デジタル信号が入力される比較器と、を備え、前記比較器は、輝度テーブルを参照して前記輝度検出部で検出された前記輝度が所定の輝度となっているか否かの比較を行うことを特徴する。
上記の電気光学装置において、さらに前記比較器における比較結果が入力されるセレクタと、前記セレクタの出力によって、基準電圧が設定されるデジタル-アナログ変換器とを備えていることが好ましい。
上記の電気光学装置において、さらに前記比較器における比較結果が入力されるセレクタと、前記セレクタの出力によって、前記複数の電気光学素子に供給するための駆動電圧を設定する電源回路と、を備えていてもよい。
上記の電気光学装置において、さらに前記比較器における比較結果が入力されるセレクタと、前記セレクタの出力に基づいて、データを補正するデータ補正回路と、を備えていてもよい。
上記の電気光学装置において、前記セレクタは、電圧テーブルを参照するようにしてもよい。
上記のの電気光学装置において、前記セレクタは、データテーブルを参照するようにしてもよい。
上記の電気光学装置において、前記データ補正回路によって補正されたデータが入力されるデジタル-アナログ変換器をさらに備え、前記デジタル-アナログ変化器は、前記補正されたデータをアナログデータに変換するようにしてもよい。
上記の電気光学装置において、前記アナログデータは前記電気光学素子に輝度を決定するようにしてもよい。
本発明の第１の電子機器は、上記の電気光学装置が実装されてなることを特徴とする。
本発明の第２の電子機器は、電気光学装置を備えた電子機器であって、前記電気光学装置は、パネル部と、輝度センサと、を備え、前記電子機器は、前記パネル部を含む第１の部分と、前記輝度センサを含む第２の部分と、から構成され、前記第１の部分と前記第２の部分とがヒンジ部で接続され、前記ヒンジ部を利用することにより、前記電子機器は折り畳み可能となっていることを特徴とする。
上記の電子機器において、前記電子機器は、前記輝度センサは、折り畳まれた際に前記パネルと対向する位置となるように設けられていることが好ましい。
上記の電子機器において、前記輝度センサはカメラであってもよい。
上記の電子機器において、前記電子機器は、折り畳まれた際に外光が、前記輝度センサに入射しない構造となっていることが好ましい。
上記の電子機器において、前記電子機器が折り畳まれたか否かを判別する検出センサを備えていることが好ましい。
上記の電子機器において、前記検出センサは、前記第１の部分及び前記第２の部分のうち一方に設けられた突起部と、前記第１の部分及び前記第２の部分のうち他方に設けられた板バネと、からなるようにしてもよい。
上記の電子機器において、前記パネルは有機ELパネルであってもよい。